(57)【要約】【課題】ギフト用カタログの製造工程をほとんど変更することなく、ギフト用カタログの外観を贈り主の個人的な事情に合わせて変更できるようにする。【解決手段】ギフト用カタログは、所定用途のカタログギフト贈答に汎用的に供することができるカタログ本体１０と、係止部１１Ｃによりカタログ本体１０を外側から覆うように着脱自在に係止されるカバー１１と、を備える。カタログ本体１０は、カタログ本体１０の外側にカバー１１を係止させるための表紙１０Ａを備えた冊子として形成されて、カバー１１が係止された状態で上記所定用途のカタログギフト贈答に供することができるように構成されている。カバー１１には、カタログ本体１０に係止した際に外側に位置する面に、カタログギフト贈答の特定の利用者に供するための家名１１Ａおよび意匠１１Ｂ（コンテンツ）が掲載されている。【選択図】図１
0003174161.tif 000002
【実用新案登録請求の範囲】
【請求項１】
所定用途のカタログギフト贈答に用いられるギフト用カタログであって、
前記所定用途の前記カタログギフト贈答に汎用的に供することができるカタログ本体と、
折り曲げ加工により形成された係止部を有し、かつ、当該係止部により前記カタログ本体に対して当該カタログ本体を外側から覆うように着脱自在に係止されるカバーと、を備え、
前記カタログ本体は、当該カタログ本体の外側に前記カバーを係止させるための表紙を備えた冊子として形成されて、前記カバーが係止された状態で前記所定用途の前記カタログギフト贈答に供することができるように構成され、
前記カバーには、当該カバーが前記カタログ本体に係止した際に外側に位置する面に、前記カタログギフト贈答の特定の利用者に供するためのコンテンツが掲載されていることを特徴とするギフト用カタログ。
【考案の詳細な説明】
【技術分野】
【０００１】
本考案は、ギフト用カタログに関する。詳しくは、所定用途のカタログギフト贈答に用いられるギフト用カタログに関する。
【背景技術】
【０００２】
従来、カタログギフト贈答代行業務においては、贈り主からの依頼に基づいてカタログギフト業者からギフトの受取人にギフト用カタログが発送され、受取人側においてギフト用カタログからギフトが選択される。選択されたギフトの情報は、受取人からカタログギフト業者に伝えられる。そして、カタログギフト業者は、上記ギフトの情報に基づいて、受取人にギフトを発送することになっている（例えば、特許文献１を参照）。
【先行技術文献】
【特許文献】
【０００３】
【特許文献１】特開２００２−１６０４７４号公報
【考案の概要】
【考案が解決しようとする課題】
【０００４】
上記従来技術では、ギフト用カタログはカタログギフト業者により前もって用意されたものが用いられる。このため、贈り主の個人的な事情に合わせてギフト用カタログの外観を変更することができないという問題があった。この問題は、カタログギフト業者がギフト用カタログを製造する際に、ギフト用カタログのデザインを贈り主のリクエストに合わせて変更することで解決することができる。しかしながら、この場合は、ギフト用カタログの製造に手間がかかってしまうという問題が新たに発生する。
本考案は、上記した問題を解決するものとして創案されたものである。すなわち、本考案が解決しようとする課題は、ギフト用カタログをカバーで覆うことで、ギフト用カタログの製造工程をほとんど変更することなく、ギフト用カタログの外観を贈り主の個人的な事情に合わせて変更できるようにすることである。
【課題を解決するための手段】
【０００５】
上記課題を解決するために、本考案のギフト用カタログは次の手段をとる。
すなわち、本考案は、所定用途のカタログギフト贈答に用いられるギフト用カタログである。このギフト用カタログは、上記所定用途のカタログギフト贈答に汎用的に供することができるカタログ本体と、折り曲げ加工により形成された係止部を有し、かつ、この係止部によりカタログ本体に対してこのカタログ本体を外側から覆うように着脱自在に係止されるカバーと、を備えている。カタログ本体は、このカタログ本体の外側にカバーを係止させるための表紙を備えた冊子として形成されて、カバーが係止された状態で上記所定用途のカタログギフト贈答に供することができるように構成されている。カバーには、このカバーがカタログ本体に係止した際に外側に位置する面に、カタログギフト贈答の特定の利用者に供するためのコンテンツが掲載されている。
本考案によれば、カバーはそのコンテンツを外部に露見させた状態でカタログ本体を覆い、かつ、この状態でカタログ本体を使用することができる。このため、カバーに掲載されるコンテンツの内容を特定の利用者に合わせて適宜変更することで、この利用者に合わせてカタログの外観を変更させて所定用途に供することができる。すなわち、ギフト用カタログをカバーで覆うことで、ギフト用カタログの製造工程をほとんど変更することなく、ギフト用カタログの外観を贈り主の個人的な事情に合わせて変更して使用させることができる。ここで、上記カバーは、折り曲げ加工で形成された係止部によりカタログ本体に対して着脱自在に係止される。このため、カバーの製造およびギフト用カタログに対する着脱を簡単にして、ギフト用カタログの外観を簡単に変更することができる。
【図面の簡単な説明】
【０００６】
【図１】本考案の一実施形態に係るギフト用カタログのカタログ本体とカバーとを分離して表した斜視図である。
【図２】上記ギフト用カタログの使用状態を表した斜視図である。
【図３】上記ギフト用カタログを別の用途に使用するためのカバーの例を表した斜視図である。
【図４】上記ギフト用カタログをさらに別の用途に使用するためのカバーの例を表した斜視図である。
【考案を実施するための形態】
【０００７】
以下に、本考案を実施するための形態について、図面を用いて説明する。
始めに、一実施形態に係るギフト用カタログ１の構成について、図１ないし図３を用いて説明する。このギフト用カタログ１は、図１に示すように、葬儀を含む一般的な用途のカタログギフト贈答に汎用的に供することができるカタログ本体１０と、一対の係止部１１Ｃによりカタログ本体１０に対して着脱自在に係止されるカバー１１と、を備えている。
上記カタログ本体１０は、図１に示すように、その外側に表紙１０Ａを備えた冊子として形成されている。
【０００８】
上記カバー１１は、図１に示すように、１枚の紙を上記カタログ本体１０の大きさに合わせて切り抜いた後に、さらに折り曲げ加工されることにより、全体が「Ｕ」字状に曲げ返された形に形成されている。また、上記各係止部１１Ｃは、カバー１１の「Ｕ」字の開口方向側（図示右奥側）の各縁部が、上記「Ｕ」字の内側に向けて折り曲げ加工されることにより形成されている。
カバー１１は、その「Ｕ」字の内側にカタログ本体１０を表紙１０Ａ側から差し込んで、上記各係止部１１Ｃをカタログ本体１０の表紙１０Ａの縁部に着脱自在に係止させることにより、カタログ本体１０に対して着脱自在に係止されるようになっている。この際、カタログ本体１０は、その表紙１０Ａがカバー１１により外側から覆われる。言い換えると、カバー１１は、カタログ本体１０に対してこのカタログ本体１０を外側から覆うように着脱自在に係止される。
上記構成により、カタログ本体１０は、カバー１１が係止された状態のままで、その各ページを開閉することができる。
【０００９】
カバー１１には、カバー１１の「Ｕ」字の外側に位置する面（言い換えると、カバー１１がカタログ本体１０に係止した際に外側に位置する面）に、ギフト用カタログ１の用途に適したコンテンツが掲載されている。例えば、図１に示すカバー１１には、葬儀の際に用いるために、葬儀が行われる家の家名１１Ａおよび花をかたどった意匠１１Ｂがコンテンツとして掲載されている。
ここで、カバー１１は、図３に示すように、上記家名１１Ａおよび意匠１１Ｂの内容および配置を贈り主のリクエストに合わせて適宜変更して製造することができる。さらに、カバー１１に掲載されるコンテンツは家名１１Ａおよび意匠１１Ｂの組み合わせに限定されない。すなわち、上記家名１１Ａまたは意匠１１Ｂを、カバー１１から適宜省略することができる（図４の、意匠１１Ｂを省略したカバー１１を参照）。また、弔辞の文章や故人の写真などのコンテンツを、葬儀の形式に合わせて適宜追加して掲載することもできる。
当然ながら、上述したカタログ本体１０は一般的な用途に汎用的に供することができるので、カバー１１に掲載されるコンテンツを葬儀以外の内容に変更することで、ギフト用カタログ１を葬儀以外の用途（例えば、企業の式典または結婚式など）のカタログギフト贈答に用いることもできる。
【００１０】
上記構成によれば、カバー１１は掲載された家名１１Ａなどのコンテンツを外部に露見させた状態でカタログ本体１０を覆い、かつ、この状態でカタログ本体１０を使用することができる。このため、カバー１１に掲載される家名１１Ａなどのコンテンツを葬儀が行われる家および葬儀の形式に合わせて適宜変更することで、ギフト用カタログ１の外観を葬儀が行われる家の葬儀固有のものとすることができる。すなわち、ギフト用カタログ１をカバー１１で覆うことで、ギフト用カタログ１の製造工程をほとんど変更することなく、ギフト用カタログ１の外観を贈り主の個人的な事情に合わせて変更して使用することができる。
また、カバー１１は、折り曲げ加工で形成された係止部１１Ｃによりカタログ本体１０に対して着脱自在に係止される。このため、カバー１１の製造およびギフト用カタログ１０に対する着脱を簡単にして、ギフト用カタログ１の外観を簡単に変更することができる。
【００１１】
ところで、本実施形態においては、ギフト用カタログ１は、梱包された状態で発送することができるように構成されている。すなわち、ギフト用カタログ１は、図２に示すように、カタログ本体１０をカバー１１が係止された状態で梱包することができる梱包箱１２を備えている。この梱包箱１２は、上記カタログ本体１０を収納するための箱本体１２Ａと、この箱本体１２Ａに収納されたカタログ本体１０を箱本体１２Ａごと覆って梱包するための蓋部１２Ｂと、で構成されている。
ここで、上記蓋部１２Ｂには、その外側（図２で見て上側）の面に、葬儀が行われる家の家名１２Ｃが掲載されている。このため、上記家名１２Ｃは、梱包箱１２でギフト用カタログ１を梱包した際に、外部に向かって露見するようになっている。これにより、家名１２Ｃを葬儀が行われる家に合わせて変更することで、ギフト用カタログ１の外観を葬儀が行われる家に合わせて変更させて用いることができる。すなわち、ギフト用カタログ１を蓋部１２Ｂで覆うように梱包することで、ギフト用カタログ１の製造工程をほとんど変更することなく、ギフト用カタログ１の外観を葬儀が行われる家に合わせて変更して使用することができる。
なお、蓋部１２Ｂには、上記家名１２Ｃの代わりに、意匠や文章、写真など、贈り主の個人的な事情に合わせたコンテンツを掲載することができる。
【００１２】
本考案は、上述した一実施形態で説明した外観、構成に限定されず、本考案の要旨を変更しない範囲で種々の変更、追加、削除が可能である。例えば、以下のような各種の形態を実施することができる。
（１）梱包箱の構成は適宜変更することができる。また、ギフト用カタログから梱包箱を省略することもできる。
【符号の説明】
【００１３】
１      ギフト用カタログ
１０    カタログ本体
１０Ａ  表紙
１１    カバー
１１Ａ  家名（コンテンツ）
１１Ｂ  意匠（コンテンツ）
１１Ｃ  係止部
１２    梱包箱
１２Ａ  箱本体
１２Ｂ  蓋部
１２Ｃ  家名
【図１】
0003174161.tif 000003
【図２】
0003174161.tif 000004
【図３】
0003174161.tif 000005
【図４】
0003174161.tif 000006